(57)【特許請求の範囲】
【請求項１】
複数のレジスターのそれぞれに対応して設けられかつ、釣銭準備金を収納すると共に、少なくとも、顧客の支払いに対する釣銭として、収納している現金を出金するよう構成された、複数の現金精算装置と、
複数の前記レジスターの売上金を収納すると共に、前記釣銭準備金の、金種毎の補充が要求されたときに、機内に収納している当該金種の前記現金を出金するように構成された現金出納装置と、
複数の前記現金精算装置、及び、前記現金出納装置に対し、信号の送受可能に接続されると共に、前記現金出納装置の前記現金の出金を制御するよう構成された現金管理装置と、を備えた現金管理システムであって、
複数の前記現金精算装置のそれぞれには、前記釣銭準備金を補充する際の標準となる補充後在高が、金種毎に決められており、
前記現金管理装置は、前記現金管理システム内の前記現金精算装置の前記釣銭準備金の在高を取得すると共に、前記釣銭準備金の補充要求があったときに、当該補充要求に係る金種別の前記釣銭準備金の在高に基づき、前記現金管理システム内の前記現金精算装置のそれぞれについて、前記補充後在高に対し不足している金種別枚数の合計を算出し、
前記現金管理装置はまた、
その不足枚数の金種別合計が、前記現金出納装置の、当該金種の機内在高以下のときには、前記補充要求に係る前記現金精算装置への前記釣銭準備金として、前記補充後在高となるために必要な枚数の金種出金を、前記現金出納装置に指示すると共に、
前記不足枚数の金種別合計が、前記現金出納装置の、当該金種の機内在高を超えるときには、前記補充要求に係る前記現金精算装置への前記釣銭準備金として、予め設定した算出式に従って算出した枚数の金種出金を、前記現金出納装置に指示する現金管理システム。
【請求項２】
請求項１に記載の現金管理システムにおいて、
前記現金管理装置は、前記不足枚数の金種別合計が、前記現金出納装置の機内在高を超えるときには、当該金種に係る前記不足枚数の合計に対する、前記現金精算装置間の不足枚数の比によって、前記釣銭準備金が不足している前記現金精算装置に対して、前記現金出納装置の機内在高を按分すると共に、当該按分した枚数の金種出金を、前記現金出納装置に指示する現金管理システム。
【請求項３】
請求項２に記載の現金管理システムにおいて、
前記現金管理装置は、前記現金出納装置が、いずれかの前記現金精算装置に対する前記釣銭準備金の出金を行う都度、前記按分を行う現金管理システム。
【請求項４】
請求項２又は３に記載の現金管理システムにおいて、
複数の前記現金精算装置には、対応する複数の前記レジスターに応じた優先順位が、予め決められており、
前記現金管理装置は、前記優先順位に従って、前記現金出納装置の機内在高を按分する現金管理システム。
【請求項５】
請求項４に記載の現金管理システムにおいて、
複数の前記現金精算装置の前記補充後在高は、前記優先順位に従い、前記優先順位が高い前記現金精算装置ほど、前記補充後在高が多くなるよう決められており、
前記現金管理装置は、前記優先順位に従って決められた前記補充後在高に基づいて、前記不足枚数の金種別合計を算出すると共に、不足金種に係る補充用現金として前記現金出納装置の機内在高を按分する現金管理システム。
【請求項６】
請求項１〜５のいずれか１項に記載の現金管理システムにおいて、
前記現金精算装置は、機内の前記釣銭準備金が予め設定した基準量を下回ったときに、前記釣銭準備金が不足していると判定し、
前記現金管理装置は、前記釣銭準備金の補充要求があったときに、前記釣銭準備金が不足している前記現金精算装置について、前記補充後在高に対し不足している金種別枚数の合計を算出する現金管理システム。
【請求項７】
請求項１〜請求項６のいずれか１項に記載の現金管理システムにおいて、
前記現金管理装置は、前記釣銭準備金の補充要求があったときに、前記現金管理システム内の前記現金精算装置の前記釣銭準備金の在高を取得する現金管理システム。
【請求項８】
請求項１〜請求項７のいずれか１項に記載の現金管理システムにおいて、
前記現金管理装置は、前記前記現金管理システム内の前記現金精算装置の前記釣銭準備金の在高を、定期的に取得する現金管理システム。
【請求項９】
複数のレジスターと、該複数のレジスターのそれぞれに対応して釣銭準備金を収納すると共に、少なくとも、顧客の支払いに対する釣銭として、収納している現金を出金するよう構成された、複数の現金精算装置と、複数のレジスターの売上金を収納すると共に、前記レジスターの釣銭準備金の補充が要求されたときに、機内に収納している現金を出金するように構成された現金出納装置と、から構成される現金管理システムの前記現金出納装置において、
前記複数の現金精算装置のそれぞれには、前記釣銭準備金を補充する際の標準となる補充後在高が、金種毎に決められており、
前記現金管理システム内の前記現金精算装置の前記釣銭準備金の在高を取得するよう構成された在高取得部と、
前記釣銭準備金の補充要求があったときに、当該補充要求に係る金種について、前記在高取得部が取得した、金種別の前記釣銭準備金の在高に基づき、前記現金管理システム内の前記現金精算装置のそれぞれについて、前記補充後在高に対し不足している金種別枚数の合計を算出する不足枚数算出部と、
前記不足枚数算出部が算出した不足枚数の金種別合計が、前記現金出納装置の、当該金種の機内在高以下のときには、前記補充要求に係る前記現金精算装置への前記釣銭準備金として、前記補充後在高となるために必要な枚数の金種出金を行うと共に、前記不足枚数の金種別合計が、前記現金出納装置の、当該金種の機内在高を超えるときには、前記補充要求に係る前記現金精算装置への前記釣銭準備金として、予め設定した算出式に従って算出した枚数の金種出金を行う出金実行部と、を備えている現金出納装置。
【請求項１０】
複数のレジスターのそれぞれに対応して設けられかつ、釣銭準備金を収納すると共に、少なくとも、顧客の支払いに対する釣銭として、収納している現金を出金するよう構成された、複数の現金精算装置と、
複数の前記レジスターの売上金を収納すると共に、前記釣銭準備金の、金種毎の補充要求を受けたときに、機内に収納している当該金種の前記現金を出金するように構成された現金出納装置と、
複数の前記現金精算装置、及び、前記現金出納装置に対し、信号の送受可能に接続されると共に、前記現金出納装置の前記現金の出金を制御するよう構成された現金管理装置と、を備えた現金管理システムの現金管理方法であって、
複数の前記現金精算装置のそれぞれには、前記釣銭準備金を補充する際の標準となる補充後在高が、金種毎に決められており、
前記現金管理装置が、前記現金管理システム内の前記現金精算装置の前記釣銭準備金の在高を取得すると共に、前記釣銭準備金の補充要求があったときに、当該補充要求に係る金種別の前記釣銭準備金の在高に基づいて、前記現金管理システム内の前記現金精算装置について、前記補充後在高に対し不足している金種別枚数の合計を算出するステップと、
前記現金管理装置が、その不足枚数の金種別合計が、前記現金出納装置の、当該金種の機内在高以下のときには、前記補充要求に係る前記現金精算装置への前記釣銭準備金として、前記補充後在高となるために必要な枚数の金種出金を、前記現金出納装置に指示するステップと、
前記現金管理装置が、前記不足枚数の金種別合計が、前記現金出納装置の、当該金種の機内在高を超えるときには、前記補充要求に係る前記現金精算装置への前記釣銭準備金として、予め設定した算出式に従って算出した枚数の金種出金を、前記現金出納装置に指示するステップと、を備えている現金管理方法。
【発明の詳細な説明】
【技術分野】
【０００１】
ここに開示する技術は、現金管理システム、現金出納装置、及び、現金管理方法に関する。
【背景技術】
【０００２】
特許文献１には、複数の店舗が共同で使用する現金処理装置が記載されている。この現金処理装置は、各店舗のレジスターにおいて釣銭として使用する現金（つまり、釣銭準備金）の出金を行う。現金処理装置には、各店舗のレジスターが予め登録されている。各店舗の担当者は、釣銭準備金の補充が必要になったときには、現金処理装置を操作することによって、釣銭準備金の補充を要求する。現金処理装置は、いずれかの店舗のレジスターに対する釣銭準備金の補充が要求されたときに、補充対象の金種の機内在高がニアエンプティでなければ、要求に応じた枚数の現金を、釣銭準備金として出金する。一方、補充対象の金種の機内在高がニアエンプティであると、現金処理装置は、機内在高を、登録した複数のレジスターの数で割った枚数の現金を、釣銭準備金として出金する。これにより、この現金処理装置では、機内在高が少なくなったときに、特定のレジスターに、機内の現金を全て出金してしまうことを防止することができる。その結果、現金処理装置は、釣銭準備金用の現金の補充が行われるまでの間も、できるだけ多くのレジスターに対し、釣銭準備金を出金することが可能になる。
【０００３】
特許文献２には、それぞれ釣銭を出金可能な現金精算装置を有する複数のＰＯＳ（Point Of Sales）端末を備えた現金管理システムが記載されている。この現金管理システムでは、主ＰＯＳ端末が、各現金精算装置の在高を取得すると共に、その在高と、予め設定されている釣銭準備金のデータとを比較することにより、翌営業日用の釣銭準備金として不足する量を算出する。
【先行技術文献】
【特許文献】
【０００４】
【特許文献１】特許第５２００３８８号公報
【特許文献１】特許第５２０２４０３号公報
【発明の概要】
【発明が解決しようとする課題】
【０００５】
ところで、特許文献１にも記載されているように、複数のレジスター及び現金精算装置を備えた現金管理システムにおいては、釣銭準備金を出金する現金出納装置の機内在高が少なくなったときに、できるだけ多くの現金精算装置に、釣銭準備金を適切に分けて出金したいという要求がある。
【０００６】
この点に関し、前記特許文献１に記載されたシステムでは、現金出納装置の機内在高が少なくなったときに、機内在高を、登録されているレジスター（つまり、現金精算装置）の数で割った枚数の現金を出金している。これにより、多くの現金精算装置に対して釣銭準備金の補充が可能になるものの、例えば複数の現金精算装置の中には、釣銭準備金が十分に残っていて補充をする必要がない現金精算装置が存在することもある。その場合に、特許文献１に記載されたシステムのように、機内在高を、複数の現金精算装置に均等に分けてしまうと、釣銭準備金の補充が必要な現金精算装置に、十分な量の釣銭準備金を割り振ることができなくなる。
【０００７】
ここに開示する技術は、かかる点に鑑みてなされたものであり、その目的とするところは、現金管理システムにおいて、釣銭準備金を出金する現金出納装置の機内在高が少なくなったときに、補充が必要な現金精算装置に対する釣銭準備金の補充を、適切に行うことにある。
【課題を解決するための手段】
【０００８】
ここに開示する技術は、複数のレジスターのそれぞれに対応して設けられかつ、釣銭準備金を収納すると共に、少なくとも、顧客の支払いに対する釣銭として、収納している現金を出金するよう構成された、複数の現金精算装置と、複数の前記レジスターの売上金を収納すると共に、前記釣銭準備金の、金種毎の補充が要求されたときに、機内に収納している当該金種の前記現金を出金するように構成された現金出納装置と、複数の前記現金精算装置、及び、前記現金出納装置に対し、信号の送受可能に接続されると共に、前記現金出納装置の前記現金の出金を制御するよう構成された現金管理装置と、を備えた現金管理システムに係る。
【０００９】
複数の前記現金精算装置のそれぞれには、前記釣銭準備金を補充する際の標準となる補充後在高が、金種毎に決められており、前記現金管理装置は、前記現金管理システム内の前記現金精算装置の前記釣銭準備金の在高を取得すると共に、前記釣銭準備金の補充要求があったときに、当該補充要求に係る金種別の前記釣銭準備金の在高に基づき、前記現金管理システム内の前記現金精算装置のそれぞれについて、前記補充後在高に対し不足している金種別枚数の合計を算出する。
【００１０】
前記現金管理装置はまた、その不足枚数の金種別合計が、前記現金出納装置の、当該金種の機内在高以下のときには、前記補充要求に係る前記現金精算装置への前記釣銭準備金として、前記補充後在高となるために必要な枚数の金種出金を、前記現金出納装置に指示すると共に、前記不足枚数の金種別合計が、前記現金出納装置の、当該金種の機内在高を超えるときには、前記補充要求に係る前記現金精算装置への前記釣銭準備金として、予め設定した算出式に従って算出した枚数の金種出金を、前記現金出納装置に指示する。
【００１１】
この構成によると、現金管理システムの現金出納装置は、現金管理システム内の、複数のレジスターの売上金を収納すると共に、現金精算装置に補充するための釣銭準備金を出金する。
【００１２】
現金管理装置は、現金管理システム内の現金精算装置の釣銭準備金の在高を取得する。現金管理装置が現金精算装置の在高を取得するタイミングは、適宜のタイミングにすることが可能である。
【００１３】
例えば、前記現金管理装置は、前記釣銭準備金の補充要求があったときに（具体的には担当者が、釣銭準備金の補充のための出金を要求する操作を、例えば現金出納装置において行ったときに）、現金管理システム内の現金精算装置の釣銭準備金の金種別在高を取得する、としてもよい。
【００１４】
また、前記現金管理装置は、前記前記現金管理システム内の前記現金精算装置の前記釣銭準備金の在高を、定期的に取得する、としてもよい。
【００１５】
前記現金管理装置は、現金管理システム内の現金精算装置の釣銭準備金の在高を取得する際に、現金管理システム内の全ての現金精算装置の釣銭準備金の金種別在高を取得する場合、及び、後述するように、釣銭準備金の補充が今後必要となり得る、複数又は一つの現金精算装置の釣銭準備金の金種別在高を取得する場合がある。
【００１６】
現金管理装置は、釣銭準備金の補充要求があったときに、釣銭準備金の金種別在高に基づいて、現金管理システム内の現金精算装置について、補充後在高に対し不足している金種別枚数の合計を算出する。ここにおいても、現金管理システム内の全ての現金精算装置について、補充後在高に対し不足している金種の枚数合計を算出する場合、及び、後述するように、釣銭準備金の補充が今後必要となり得る、複数又は一つの現金精算装置について、補充後在高に対し不足している金種の枚数合計を算出する場合がある。
【００１７】
こうすることで、現金管理システム内の、複数の現金精算装置の全体で、釣銭準備金が、どの程度、不足しているかを把握することが可能になる。
【００１８】
そして、現金管理装置は、不足枚数の金種別合計が、現金出納装置の機内在高以下のときには、現金出納装置の機内在高が十分に残っているとして、補充要求に係る現金精算装置の在高が、予め設定した補充後在高となるために必要な枚数の金種出金を、現金出納装置に指示する。現金出納装置は、指示された枚数の金種出金をする。担当者は、出金された現金を受け取ると共に、当該金種の現金を、現金精算装置に収納する。その結果、現金精算装置の釣銭準備金の在高は、補充後在高となる。
【００１９】
一方、現金管理装置は、不足枚数の金種別合計が、現金出納装置の機内在高を超えるときには、現金出納装置の機内在高が少なくなっているとして、出金する現金量を制限する。具体的に現金管理装置は、予め設定した算出式に従って算出した枚数の金種出金を、現金出納装置に指示する。現金出納装置は、前記と同様に、指示された枚数の金種出金をする。担当者は、出金された現金を受け取ると共に、当該金種の現金を、現金精算装置に収納する。その結果、現金精算装置の釣銭準備金の在高は、補充後在高に満たない在高となる。
【００２０】
この構成により、現金出納装置の機内在高が少なくなったときに釣銭準備金の出金量を制限するため、特定の現金精算装置に対して、現金出納装置内の全ての現金を出金してしまい、他の現金精算装置に対して、釣銭準備金を出金できなくなる事態を未然に回避することが可能になる。
【００２１】
また、現金出納装置の機内在高に関して、予め設定したニアエンプティに基づいて、釣銭準備金としての出金を制限するのではなく、前述したように現金管理システム内の現金精算装置の金種別在高に基づいて、釣銭準備金の出金を制限するため、補充が必要な現金精算装置に対し、十分な量の釣銭準備金を補充することが可能になる。つまり、補充が必要な現金精算装置に対する釣銭準備金の補充を、適切に行うことができる。
【００２２】
前記現金管理装置は、前記不足枚数の金種別合計が、前記現金出納装置の機内在高を超えるときには、当該金種に係る前記不足枚数の合計に対する、前記現金精算装置間の不足枚数の比によって、前記釣銭準備金が不足している前記現金精算装置に対して、前記現金出納装置の機内在高を按分すると共に、当該按分した枚数の金種出金を、前記現金出納装置に指示する、としてもよい。
【００２３】
こうすることで、現金出納装置から、釣銭準備金の出金を制限するときには、現金管理システム内の現金精算装置全体における、該当金種の釣銭準備金の不足枚数の合計に対する、現金精算装置間の不足枚数の比によって、現金出納装置の機内在高を按分する。こうすることで、釣銭準備金の補充が必要な現金精算装置に対して、適切な量の釣銭準備金の金種出金することが可能になる。
【００２４】
前記現金管理装置は、前記現金出納装置が、いずれかの前記現金精算装置に対する前記釣銭準備金の出金を行う都度、前記按分を行う、としてもよい。
【００２５】
こうすることで、現金出納装置が、釣銭準備金の出金を行うタイミングで、現金出納装置の機内在高を、適切に按分することが可能になる。
【００２６】
ここで、現金管理システム内の複数のレジスター及び現金精算装置に対しては、釣銭準備金の補充後在高を互いに同じに設定してもよい。また、レジスターの設置場所（つまり、売り場の相違や、店舗の相違）に応じて、釣銭の使用頻度が相違する場合もあり、その場合、釣銭の使用頻度が高い現金精算装置には、釣銭準備金を多く補充することが望ましい。
【００２７】
そこで、複数の前記現金精算装置には、対応する複数の前記レジスターに応じた優先順位が、予め決められており、前記現金管理装置は、前記優先順位に従って、前記現金出納装置の機内在高を按分する、としてもよい。
【００２８】
こうすることで、優先順位の高い現金精算装置には、相対的に多くの釣銭準備金を補充することが可能になる。
【００２９】
複数の前記現金精算装置の前記補充後在高は、前記優先順位に従い、前記優先順位が高い前記現金精算装置ほど、前記補充後在高が多くなるよう決められており、前記現金管理装置は、前記優先順位に従って決められた前記補充後在高に基づいて、前記不足枚数の金種別合計を算出すると共に、不足金種に係る補充用現金として前記現金出納装置の機内在高を按分する、としてもよい。
【００３０】
こうすることで、優先順位の高い現金精算装置は、補充後在高が多くなるため、不足枚数が相対的に多くなりやすく、かつ、按分量も多くなりやすい。従って、優先順位の高い現金精算装置に、相対的に多くの釣銭準備金を割り当てて、補充することが可能になる。
【００３１】
前記現金精算装置は、機内の前記釣銭準備金が予め設定した基準量を下回ったときに、前記釣銭準備金が不足していると判定し、前記現金管理装置は、前記釣銭準備金の補充要求があったときに、前記釣銭準備金が不足している前記現金精算装置について、前記補充後在高に対し不足している金種別枚数の合計を算出する、としてもよい。
【００３２】
こうすることで、該当金種に関して、現金精算装置の釣銭準備金の在高が高く、釣銭準備金の補充が不要と考えられる現金精算装置は、釣銭準備金の不足枚数を算出する対象から除外される。従って、現金管理システムにおいて、釣銭準備金の補充が必要となり得る現金精算装置のみの釣銭準備金の在高を考慮して、現金出納装置からの出金の制限や、補充要求を行った現金精算装置への釣銭準備金の補充が行われる。その結果、補充要求を行った現金精算装置への釣銭準備金の補充を適切に行うことが可能になる。
【００３３】
ここに開示する技術はまた、複数のレジスターと、該複数のレジスターのそれぞれに対応して釣銭準備金を収納すると共に、少なくとも、顧客の支払いに対する釣銭として、収納している現金を出金するよう構成された、複数の現金精算装置と、複数のレジスターの売上金を収納すると共に、前記レジスターの釣銭準備金の補充が要求されたときに、機内に収納している現金を出金するように構成された現金出納装置と、から構成される現金管理システムの前記現金出納装置に係る。
【００３４】
前記複数の現金精算装置のそれぞれには、前記釣銭準備金を補充する際の標準となる補充後在高が、金種毎に決められており、現金出納装置は、前記現金管理システム内の前記現金精算装置の前記釣銭準備金の在高を取得するよう構成された在高取得部と、前記釣銭準備金の補充要求があったときに、当該補充要求に係る金種について、前記在高取得部が取得した、金種別の前記釣銭準備金の在高に基づき、前記現金管理システム内の前記現金精算装置のそれぞれについて、前記補充後在高に対し不足している金種別枚数の合計を算出する不足枚数算出部と、前記不足枚数算出部が算出した不足枚数の金種別合計が、前記現金出納装置の、当該金種の機内在高以下のときには、前記補充要求に係る前記現金精算装置への前記釣銭準備金として、前記補充後在高となるために必要な枚数の金種出金を行うと共に、前記不足枚数の金種別合計が、前記現金出納装置の、当該金種の機内在高を超えるときには、前記補充要求に係る前記現金精算装置への前記釣銭準備金として、予め設定した算出式に従って算出した枚数の金種出金を行う出金実行部と、を備えている。
【００３５】
ここに開示する技術はさらに、複数のレジスターのそれぞれに対応して設けられかつ、釣銭準備金を収納すると共に、少なくとも、顧客の支払いに対する釣銭として、収納している現金を出金するよう構成された、複数の現金精算装置と、複数の前記レジスターの売上金を収納すると共に、前記釣銭準備金の、金種毎の補充要求を受けたときに、機内に収納している当該金種の前記現金を出金するように構成された現金出納装置と、複数の前記現金精算装置、及び、前記現金出納装置に対し、信号の送受可能に接続されると共に、前記現金出納装置の前記現金の出金を制御するよう構成された現金管理装置と、を備えた現金管理システムの現金管理方法に係る。
【００３６】
複数の前記現金精算装置のそれぞれには、前記釣銭準備金を補充する際の標準となる補充後在高が、金種毎に決められており、前記現金管理方法は、前記現金管理装置が、前記現金管理システム内の前記現金精算装置の前記釣銭準備金の在高を取得すると共に、前記釣銭準備金の補充要求があったときに、当該補充要求に係る金種別の前記釣銭準備金の在高に基づいて、前記現金管理システム内の前記現金精算装置について、前記補充後在高に対し不足している金種別枚数の合計を算出するステップと、前記現金管理装置が、その不足枚数の金種別合計が、前記現金出納装置の、当該金種の機内在高以下のときには、前記補充要求に係る前記現金精算装置への前記釣銭準備金として、前記補充後在高となるために必要な枚数の金種出金を、前記現金出納装置に指示するステップと、前記現金管理装置が、前記不足枚数の金種別合計が、前記現金出納装置の、当該金種の機内在高を超えるときには、前記補充要求に係る前記現金精算装置への前記釣銭準備金として、予め設定した算出式に従って算出した枚数の金種出金を、前記現金出納装置に指示するステップと、を備えている。
【発明の効果】
【００３７】
以上説明したように、前記の現金管理システム、現金出納装置、及び、現金管理方法によると、釣銭準備金を出金する現金出納装置の機内在高が少なくなったときに、補充が必要な現金精算装置に対する釣銭準備金の補充を、適切に行うことができる。
【図面の簡単な説明】
【００３８】
【図１】図１は、現金管理システムの全体構成を示す図である。
【図２】図２は、レジスターの構成を示すブロック図である。
【図３】図３は、紙幣精算機の内部構造を示す概念図である。
【図４】図４は、硬貨精算機の内部構造を示す概念図である。
【図５】図５は、現金精算装置の構成を示すブロック図である。
【図６】図６は、紙幣出納機の内部構造を示す概念図であり、左図は、紙幣受入ユニットが装着された状態を示し、右図は、現金搬送カセットが装着された状態を示す。
【図７Ａ】図７Ａは、硬貨出納機の内部構造を側方から見たときの概念図である。
【図７Ｂ】図７Ｂは、硬貨出納機の内部構造を正面から見たときの概念図である。
【図８】図８は、現金出納装置の構成を示すブロック図である。
【図９】図９は、現金管理装置の構成を示すブロック図である。
【図１０】図１０は、釣銭準備金を補充する際の按分例（第１の按分例）を説明するための図である。
【図１１】図１１は、釣銭準備金を補充する際の按分例（第２の按分例）を説明するための図である。
【図１２】図１２は、釣銭準備金を補充する際の按分例（第３の按分例）を説明するための図である。
【図１３】図１３は、釣銭準備金を補充する際の按分例（第４の按分例）を説明するための図である。
【図１４】図１４は、釣銭準備金を補充する際の按分例（第５の按分例）を説明するための図である。
【図１５】図１５は、釣銭準備金の補充が要求された際に、現金管理装置が実行する制御のフローチャートである。
【図１６】図１６は、現金出納装置がオフライン時の、釣銭準備金の出金に係る設定画面の例示である。
【図１７】図１７は、現金出納装置がオフライン時の、現金出納装置の制御に関するフローチャートである。
【発明を実施するための形態】
【００３９】
以下、ここに開示する現金管理システム、現金出納装置、及び現金管理方法について、図面を参照しながら詳細に説明をする。尚、以下の説明は例示である。
【００４０】
（現金管理システムの構成）
図１は、現金管理システムの全体構成を示す。現金管理システム１は、例えば百貨店やスーパーマーケットの小売業の店舗等に構築されるシステムである。現金管理システム１は、チェックアウトカウンター１０と、バックオフィス１１とから構成されている。チェックアウトカウンター１０は、店舗内のチェックアウトエリアに設けられており、店員が顧客との間でやりとりした現金を入金及び出金する。図１に示す現金管理システム１は、複数のチェックアウトカウンター１０を有している。バックオフィス１１は、チェックアウトカウンター１０の現金及び商品を管理する。この現金管理システム１では、チェックアウトカウンター１０とバックオフィス１１との間においては、現金搬送カセット３０（図３等参照）を用いて、現金を搬送するように構成されている。尚、この現金搬送カセット３０の代わりに現金移送用のトレイ、袋、ボックス等であっても良い。
【００４１】
各チェックアウトカウンター１０には、現金を入金及び出金することにより顧客との精算処理を行う現金精算装置２、及び、レジスター４０を有する精算システムが設けられている。レジスター４０は、現金精算装置２と通信回線（例えばＬＡＮ（Local Area Network））１２を介して通信可能に接続され、顧客が購入する商品の登録を行う。レジスター４０は、例えば、店員によって操作されるＰＯＳレジである。
【００４２】
現金精算装置２は、店員（又は顧客自ら）によって操作され、店舗と顧客との間の精算処理に用いられる。例えば、現金精算装置２は、顧客が支払った代金を入金し、あるいは、顧客へ支払う釣銭を出金する。尚、顧客が支払った代金の入金は、店員がドロワーに入れて管理をし、現金精算装置２は、顧客へ支払う釣銭の出金のみを行うようにしてもよい。現金精算装置２は、図１の例では、紙幣の入金及び出金を行う紙幣精算機２ａと、硬貨の入金及び出金を行う硬貨精算機２ｂと、紙幣精算機２ａ及び硬貨精算機２ｂを制御するコントロールボックス２ｃとを含んで構成されている。
【００４３】
バックオフィス１１には、現金出納装置５と、現金管理装置６と、ＰＯＳ管理装置７が設けられている。現金出納装置５、現金管理装置６、ＰＯＳ管理装置７、レジスター４０、及び現金精算装置２は、通信回線１２を介して、相互に通信可能に接続されている。
【００４４】
現金出納装置５は、現金精算装置２に補充するための釣銭準備金を出金すると共に、現金精算装置２から回収した売上金を入金する。図１の例では、現金出納装置５は、紙幣の入金及び出金を行う紙幣出納機５ａと、硬貨の入金及び出金を行う硬貨出納機５ｂと、を含んで構成されている。
【００４５】
現金管理装置６は、現金精算装置２及び現金出納装置５に収納されている現金を管理する。例えば、現金管理装置６は、現金精算装置２のそれぞれにおいて精算処理された現金、並びに、現金精算装置２と現金出納装置５との間で授受された現金を管理する。現金管理装置６は、現金出納装置５の出金の制御も行う。詳細は後述するが、ここに開示する現金管理システム１において、現金管理装置６は、釣銭準備金の補充要求があったときに、補充要求に係る現金精算装置２に対し、釣銭準備金を適切に出金させることが可能に構成されている。
【００４６】
ＰＯＳ管理装置７は、通信回線１２を介して、レジスター４０と通信可能に接続されており、商品の流れや店舗の売上を管理している。
【００４７】
現金搬送カセット３０は、図３や図４、及び、図６や図７Ａ、７Ｂ等に示すように、現金精算装置２及び現金出納装置５に着脱可能に構成されており、現金精算装置２又は現金出納装置５に装着されているときには現金精算装置２又は現金出納装置５との間で現金を授受することができる。一方、現金搬送カセット３０は、現金精算装置２及び現金出納装置５から離脱しているときには内部の現金を取出せないように収納している。店員は、現金搬送カセット３０を用いて現金精算装置２と現金出納装置５との間における現金の搬送を行う。例えば、釣銭準備金の補充時あるいは売上金の回収時には、店員は、現金搬送カセット３０を用いて現金を現金精算装置２と現金出納装置５との間で搬送する。店員は、現金の搬送時に現金搬送カセット３０内の現金に触れることができないので、セキュリティ上安全な状態で現金を搬送することができる。
【００４８】
現金搬送カセット３０は、紙幣及び硬貨のいずれか一方を搬送するように構成されていてもよく、両方を搬送できるように構成されていてもよい。紙幣用の現金搬送カセット３０は、紙幣を積み重ねて収納するスタック式カセットであってもよく、あるいは、紙幣を一枚ずつ複数のテープ間に挟み込んだ状態で該テープを紙幣とともに巻き取るテープリール式カセットであってもよい。硬貨用の現金搬送カセット３０は、金種混合の状態で硬貨を収納するカセットでよい。
【００４９】
以下、現金管理システム１を構成する各構成要素について、個別に説明をする。
【００５０】
図２は、レジスター４０の構成を示すブロック図である。レジスター４０は、各種情報を表示する表示部４０２と、店員から各種情報や指示についての手入力を受け付けるキーボード４０４と、取引内容を印字したレシートを出力するプリンタ４０６と、商品情報を読み取る読取部４０８と、現金精算装置２やＰＯＳ管理装置７と通信を行う通信部４１０と、制御部４１２と、メモリ４１４とを備えている。
【００５１】
メモリ４１４は、レジスター４０を制御する各種プログラム及びデータを格納するＲＯＭ（Read Only Memory）又はＨＤＤ(Hard Disk Drive)、及び、プログラムのロード領域やプログラム実行時における作業領域となるＲＡＭ（Random Access Memory)等を含む。また、メモリ４１４は、商品情報とその金額との組合せを有するテーブルを格納している。
【００５２】
制御部４１２は、メモリ４１４内のプログラムを実行してレジスター４０の全体を制御するように構成された演算処理装置である。制御部４１２は、読取部４０８が読み取った商品情報を用いて、メモリ４１４内のテーブルを検索することで、商品の金額を求め、顧客が購入する商品の合計金額を算出することができる。
【００５３】
また、制御部４１２は、購入商品の合計金額と、キーボード４０４が受け付けた手入力情報とを、通信部４１０を介して現金精算装置２へ送信することができる。また、制御部４１２は、通信部４１０を介して、顧客が購入する商品の商品情報をＰＯＳ管理装置７へ送信することができる。
【００５４】
図３は、現金精算装置２を構成する紙幣精算機２ａの内部構造を示す概念図である。紙幣精算機２ａは入金部カバー２１１ａを備えており、店員（又は顧客）は入金時に入金部カバー２１１ａを開けて紙幣を入金部２１０ａへ投入する。入金部２１０ａは投入された紙幣を一枚ずつ搬送部２３０ａへ繰り出すように構成されている。搬送部２３０ａは、繰り出された紙幣を識別部２４０ａに通過させた後、収納部２５０ａ、現金搬送カセット３０又は出金部２２０ａへ搬送するように構成されている。識別部２４０ａは、搬送されている紙幣の金種、真偽、正損、新旧、数量等を識別する。搬送部２３０ａは、識別部２４０ａによる識別結果に基づいて紙幣を金種毎に収納部２５０ａに収納する。
【００５５】
紙幣を出金するために、収納部２５０ａは、紙幣を一枚ずつ搬送部２３０ａへ繰り出すように構成されている。搬送部２３０ａは、繰り出された紙幣を出金部２２０ａへ搬送する。紙幣精算機２ａは、出金部シャッタ２２１ａを備えており、出金時に出金部シャッタ２２１ａを開け、紙幣を投出する。
【００５６】
このように、紙幣精算機２ａは、入金部２１０ａに投入された紙幣を収納部２５０ａへ収納し、逆に、収納部２５０ａに収納された紙幣を出金部２２０ａへ投出することができる。即ち、紙幣精算機２ａは、入金された紙幣を出金に再利用することができるように構成されている。
【００５７】
紙幣精算機２ａには、現金搬送カセット３０が着脱可能に装着されるカセット装着部２６０ａが設けられている。 現金搬送カセット３０がカセット装着部２６０ａに装着されている場合、紙幣精算機２ａは、現金搬送カセット３０から収納部２５０ａへ紙幣を装填し、あるいは、収納部２５０ａから現金搬送カセット３０ａへ紙幣を回収することができる。紙幣を紙幣精算機２ａに装填する場合（例えば後述の通り、釣銭準備金を、紙幣精算機２ａに補充する場合）、現金搬送カセット３０が紙幣を一枚ずつ搬送部２３０ａへ繰り出す。搬送部２３０ａは繰り出された紙幣を収納部２５０ａへ装填する。紙幣精算機２ａから紙幣を回収する場合、収納部２５０ａが紙幣を一枚ずつ搬送部２３０ａへ繰り出す。搬送部２３０ａは繰り出された紙幣を現金搬送カセット３０へ回収する。
【００５８】
このように、紙幣精算機２ａは、現金搬送カセット３０を用いて紙幣の装填及び回収を行うことができるように構成されている。
【００５９】
図４は、現金精算装置２を構成する硬貨精算機２ｂの内部構造を示す概念図である。図４の左図は硬貨精算機２ｂを側方から見た断面図であり、図４の右図は硬貨精算機２ｂを正面から見た断面図である。尚、図４の右図では、現金搬送カセット３０及び繰出部２３７ｂの図示を省略しており、収納部２５０ｂを図示している。
【００６０】
硬貨精算機２ｂは、入金部２１０ｂを備えており、店員（又は顧客）は入金時に硬貨を入金部２１０ｂへ投入する。このとき、複数の金種の硬貨は、混合された状態で投入されてよい。円盤型の繰出部２３３ｂは、入金部２１０ｂに投入された硬貨を一枚ずつ搬送部２３０ｂへ繰り出すように構成されている。搬送部２３０ｂは、繰り出された硬貨を識別部２４０ｂに通過させた後、収納部２５０ｂ、現金搬送カセット３０又は出金部２２０ｂへ搬送する。識別部２４０ｂは、搬送されている硬貨の金種、真偽、正損、新旧、数量等を識別する。搬送部２３０ｂは、識別部２４０ｂによる識別結果に基づいて硬貨を金種毎に選別し、硬貨を対応する金種の収納部２５０ｂに収納する。
【００６１】
硬貨を出金するために、収納部２５０ｂは、硬貨を一枚ずつ搬送部２３１ｂへ繰り出すように構成されている。複数の収納部２５０ｂは、金種別に現金を収納しており、それぞれ円盤型の繰出部２５３ｂを備えている。繰出部２５３ｂは、硬貨を一枚ずつ搬送部２３１ｂへ繰り出すように構成されている。搬送部２３１ｂは、繰り出された硬貨を出金部２２０ｂへ搬送する。これにより、硬貨精算機２ｂは、硬貨を出金部２２０ｂへ投出する。
【００６２】
このように、硬貨精算機２ｂは、入金部２１０ｂに投入された硬貨を収納部２５０ｂへ収納し、逆に、収納部２５０ｂに収納された硬貨を出金部２２０ｂへ投出することができる。即ち、硬貨精算機２ｂは、入金された硬貨を出金に再利用することができるように構成されている。
【００６３】
現金搬送カセット３０がカセット装着部２６０ｂに装着されている場合、硬貨精算機２ｂは、現金搬送カセット３０から収納部２５０ｂへ硬貨を装填し、あるいは、収納部２５０ｂから現金搬送カセット３０ｂへ硬貨を回収することができる。硬貨を装填する場合（例えば後述の通り、釣銭準備金を、硬貨精算機２ｂに補充する場合）、現金搬送カセット３０は、図４の左図に示す繰出部２３７ｂに硬貨を投出する。このとき、現金搬送カセット３０は、金種の混合された状態で硬貨を繰出部２３７ｂに投出してよい。繰出部２３７ｂは硬貨を搬送部２３１ｂに繰り出す。搬送部２３１ｂは繰り出された硬貨を繰出部２３３ｂへ搬送し、繰出部２３３ｂは、硬貨を一枚ずつ搬送部２３０ｂへ繰り出す。搬送部２３０ｂは、繰り出された硬貨を識別部２４０ｂに通過させた後、収納部２５０ｂ又は出金部２２０ｂへ搬送するように構成されている。識別部２４０ｂは、搬送されている硬貨の金種を識別する。搬送部２３０ｂは、識別部２４０ｂによる識別結果に基づいて硬貨を金種毎に収納部２５０ｂに収納する。
【００６４】
硬貨精算機２ｂから硬貨を回収する場合、硬貨精算機２ｂは、収納部２５０ｂから硬貨を一枚ずつ搬送部２３１ｂへ繰り出す。搬送部２３１ｂは繰り出された硬貨を現金搬送カセット３０へ回収する。
【００６５】
このように、硬貨精算機２ｂは、現金搬送カセット３０を用いて硬貨の装填及び回収を行うことができるように構成されている。
【００６６】
図５は、前述した紙幣精算機２ａ、硬貨精算機２ｂ及びコントロールボックス２ｃを含む現金精算装置２の構成を示すブロック図である。紙幣精算機２ａの構成要素と硬貨精算機２ｂの構成要素との内、共通する構成要素については、「ａ」及び「ｂ」を付さない参照番号を付している。また、このブロック図には、主に、現金精算装置２として、後述する釣銭準備金の補充に係る制御に関係する構成要素を図示している。
【００６７】
現金精算装置２は、前述した、入金部２１０、出金部２２０、搬送部２３０、識別部２４０、収納部２５０、カセット装着部２６０のほか、メモリ２７０と、通信部２８０と、制御部２９０とをさらに備えている。
【００６８】
メモリ２７０は、現金精算装置２を制御する各種プログラム及びデータを格納するＲＯＭ又はＨＤＤ、及び、プログラムのロード領域やプログラム実行時における作業領域となるＲＡＭ等を含む。メモリ２７０は、収納部２５０及び現金搬送カセット３０に収納されている現金の情報（金種、数量等）も記憶している。さらに、メモリ２７０は、識別部２４０で識別された現金の数量を金種毎に記憶してもよい。
【００６９】
通信部２８０は、現金管理システム１を構成する他の装置（現金出納装置５、現金管理装置６、ＰＯＳ管理装置７）やレジスター４０と通信可能に接続されている。
【００７０】
制御部２９０は、メモリ２７０内のプログラムを実行して現金精算装置２の全体を制御するように構成された演算処理装置である。
【００７１】
制御部２９０は、識別部２４０による識別・計数結果に基づいて、入金部２１０に投入された現金の金額（投入金額）を算出する。また、制御部２９０は、通信部２８０を介して、レジスター４０に手入力された顧客からの預かり金の少なくとも一部に対応する情報（以下、手入力情報という）をレジスター４０から受信し、この手入力情報及び投入金額に基づいて、顧客からの預かり金の総額を算出する。
【００７２】
さらに、制御部２９０は、通信部２８０を介して、レジスター４０から顧客の購入商品の合計金額を受信し、顧客からの預かり金の総額から、購入商品の合計金額を減じて、釣銭額を算出する。そして、制御部２９０は、算出した釣銭額の釣銭を出金するように現金精算装置２の各部を制御する。
【００７３】
また、制御部２９０は、算出した投入金額と、レジスター４０から受信した手入力情報とを区別して現金管理装置６へ出力することができる。そのため、現金管理装置６は、実際に現金精算装置２内に収納されている現金の金額と、現金精算装置２内に収納されていないが入金処理された現金（例えばリジェクト現金）の金額とを区別して管理することができる。
【００７４】
制御部２９０は、現金精算装置２内の、釣銭準備金の金種別の在高の情報を、現金管理装置６へ出力することができる。制御部２９０は、釣銭準備金の金種別の在高に関し、予め設定したニアエンプティであるか否かの判断を行い、その情報も、現金管理装置６へ出力してもよい。
【００７５】
図６は、現金出納装置５を構成する紙幣出納機５ａの内部構造を示す概念図である。図６の左図は、入金部５１０ａに紙幣受入ユニット５１１ａが装着されているときの状態を示す図であり、右図は、入金部５１０ａに現金搬送カセット３０が装着されているときの状態を示す図である。
【００７６】
図６の左図に示すように、紙幣出納機５ａの入金部５１０ａには、紙幣受入ユニット５１１ａが着脱自在に装着されている。紙幣受入ユニット５１１ａは、入金部５１０ａに装着されたときに紙幣出納機５ａの外部から紙幣を受け入れて一枚ずつ搬送部５３０ａへ繰り出すように構成されている。紙幣受入ユニット５１１ａは、店員が紙幣出納機５ａへ紙幣を手動で入金する場合に用いられる。
【００７７】
図６の右図に示すように、入金部５１０ａには、紙幣受入ユニット５１１ａの代わりに、前記現金搬送カセット３０を装着することができるように構成されている。現金搬送カセット３０が装着されたときには、現金搬送カセット３０から、紙幣が一枚ずつ搬送部５３０ａへ繰り出される。尚、入金部５１０ａに装着された現金搬送カセット３０に、後述の通り、紙幣が収納されることもある。
【００７８】
搬送部５３０ａは、繰り出された紙幣を識別部５４０ａに通過させた後、収納部５５０ａ、回収部５６０ａ、機外リジェクト部５１００、又は、機内リジェクト部５１１０へ搬送するように構成されている。
【００７９】
識別部５４０ａは、搬送されている紙幣の金種、真偽、正損、新旧、数量等を識別する。搬送部５３０ａは、識別部５４０ａによる識別結果に基づいて紙幣を金種毎に収納部５５０ａに収納する。
【００８０】
紙幣を出金するために、収納部５５０ａは、収納している紙幣を一枚ずつ搬送部５３０ａに繰り出すように構成されている。搬送部５３０ａは、繰り出された紙幣を出金部５２０ａ、入金部５１０ａに装着された現金搬送カセット３０、又は、回収部５６０ａへ搬送する。後述する釣銭準備金として、紙幣出納機５ａから出金される紙幣は、出金部５２０ａ、又は、現金搬送カセット３０に送られる。
【００８１】
回収部５６０ａは、収納部５５０ａに収納された紙幣を回収する際に用いられる。回収部５６０ａには、紙幣を収納する紙幣収納袋（図示せず）が着脱自在に設置される。収納部５５０ａから搬送部５３０ａを経て回収部５６０ａに送られた紙幣は、紙幣収納袋内に収納される。また、各収納部５５０ａに割り当てられていない金種の紙幣や、対応する金種の収納部５５０ａがフル状態のために収納できないオーバーフロー紙幣も回収部５６０ａの紙幣収納袋内に収納される。回収部５６０ａから紙幣収納袋を取り出すことにより、紙幣出納機５ａから紙幣収納袋ごと紙幣の回収を行う。
【００８２】
機外リジェクト部５１００には、識別部５４０ａにより正常な紙幣ではないと識別された紙幣がリジェクト紙幣として送られる。一方、機内リジェクト部５１１０には、紙幣出納機５ａの外部に投出することのできないようなリジェクト紙幣が送られ、リジェクト紙幣を収納する。管理権限を有する操作者のみが、機内リジェクト部５１１０内の紙幣にアクセスすることができる。
【００８３】
このように、紙幣出納機５ａは、入金部５１０ａに投入された紙幣を収納部５５０ａへ収納し、逆に、収納部５５０ａに収納された紙幣を出金部５２０ａへ投出する、又は、現金搬送カセット３０に装填することができる。即ち、紙幣出納機５ａは、入金された紙幣を出金に再利用することができるように構成されている。
【００８４】
紙幣出納機５ａに、各レジスター４０の売上金を入金するときには、前述の通り、紙幣受入ユニット５１１ａ又は現金搬送カセット３０を通じて、紙幣出納機５ａ内に紙幣が送られ、紙幣は、収納部５５０ａに収納される。一方、釣銭準備金の出金をするときには、収納部５５０ａから繰り出された紙幣が、出金部５２０ａへ投出される、又は、現金搬送カセット３０に装填される。
【００８５】
図７Ａ及び図７Ｂは、現金出納装置５を構成する硬貨出納機５ｂの内部構造を示す概念図である。図７Ａは、硬貨出納機５ｂの内部構成を側方から見たときに相当し、図７Ｂは、硬貨出納機５ｂの内部構成を正面から見たときに相当する。
【００８６】
硬貨出納機５ｂは、入金部５１０ｂを備えている。硬貨出納機５ｂに入金する硬貨は、入金部５１０ｂへ投入される。このとき、複数の金種の硬貨は、混合された状態で投入されてよい。円盤型の繰出部５３３ｂは、入金部５１０ｂに投入された硬貨を一枚ずつ搬送部５３０ｂへ繰り出すように構成されている。
【００８７】
搬送部５３０ｂは、硬貨を識別部５４０ｂに通過させた後、一時保留部５６０ｂ、リジェクト部５０１、又は、オーバーフローボックス５０２へ搬送する。識別部５４０ｂは、搬送されている硬貨の金種、真偽、正損、新旧、数量等を識別する。搬送部５３０ｂは、硬貨を金種毎に選別し、対応する金種の一時保留部５６０ｂに、硬貨を収納する。
【００８８】
一時保留部５６０ｂの下方には、複数の収納部５５０ｂが設けられている。一時保留部５６０ｂは、金種別に収納している硬貨を、返却箱５０３に送るか、又は、個別のシュートを通じて収納部５５０ｂに送る。返却箱５０３は、硬貨出納機５ｂの外部に引き出し可能に構成されている。返却箱５０３に送られた硬貨は、硬貨出納機５ｂの外部に引き出されることによって、返却される。
【００８９】
複数の収納部５５０ｂは、金種毎に硬貨を収納する。硬貨を出金するために、複数の収納部５５０ｂは、それぞれ円盤型の繰出部５５３ｂを備えている。繰出部５５３ｂは、硬貨を一枚ずつ繰り出すように構成されている。
【００９０】
各収納部５５０ｂの下方には回収ボックス（出金部）５２０ｂが設けられている。回収ボックス５２０ｂには、現金搬送カセット３０が着脱自在に設けられる。各収納部５５０ｂと、現金搬送カセット３０とは個別のシュートを介して接続されている。各収納部５５０ｂから繰り出された硬貨は、回収ボックス５２０ｂに装着された現金搬送カセット３０に、金種毎に区分けされた状態で収納される。回収ボックス５２０ｂは、硬貨出納機５ｂの前面の下部から、硬貨出納機５ｂの手前に引き出し可能に構成されている。
【００９１】
このように、硬貨出納機５ｂは、入金部５１０ｂに投入された硬貨を収納部５５０ｂへ収納し、逆に、収納部５５０ｂに収納された硬貨を、現金搬送カセット３０へ投出することができる。即ち、硬貨出納機５ｂは、入金された硬貨を出金に再利用することができるように構成されている。
【００９２】
硬貨出納機５ｂに、各レジスター４０の売上金を入金するときには、前述の通り、入金部５１０ｂに硬貨が投入され、投入された硬貨は、収納部５５０ｂに収納される。一方、釣銭準備金の出金をするときには、収納部５５０ｂから繰り出された紙幣が、回収ボックス５２０ｂに取り付けられた現金搬送カセット３０に投出される。
【００９３】
図８は、現金出納装置５の構成を示すブロック図である。紙幣出納機５ａの構成要素と硬貨出納機５ｂの構成要素との内、共通する構成要素については、「ａ」及び「ｂ」を付さない参照番号を付している。また、このブロック図には、主に、現金出納装置５として、後述する釣銭準備金の補充に係る制御に関係する構成要素を図示している。
【００９４】
現金出納装置５は、前述した、入金部５１０、出金部（又は、回収ボックス）５２０、搬送部５３０、識別部５４０、収納部５５０のほか、メモリ５７０と、通信部５８０と、制御部５９０と、操作部５９１と、表示部５９２とをさらに備えている。
【００９５】
メモリ５７０は、現金出納装置５を制御する各種プログラム及びデータを格納するＲＯＭ又はＨＤＤ、及び、プログラムのロード領域やプログラム実行時における作業領域となるＲＡＭ等を含む。メモリ５７０は、収納部５５０及び現金搬送カセット３０に収納されている現金の情報（金種、数量等）も記憶している。さらに、メモリ５７０は、識別部５４０で識別された現金の数量を金種毎に記憶してもよい。
【００９６】
通信部５８０は、現金管理システム１を構成する他の装置（現金精算装置２、現金管理装置６、ＰＯＳ管理装置７）と通信可能に接続されている。
【００９７】
制御部５９０は、メモリ５７０内のプログラムを実行して現金出納装置５の全体を制御するように構成された演算処理装置である。
【００９８】
制御部５９０は、識別部５４０による識別・計数結果に基づいて、入金部５１０に投入された現金の金額（投入金額）を算出する。
【００９９】
制御部５９０は、詳細は後述するが、釣銭準備金の補充要求を受けたときに、釣銭準備金として出金可能な、機内在高の情報を、現金管理装置６に出力することができる。
【０１００】
また、制御部５９０は、詳細は後述するように、釣銭準備金の補充要求を受けたときには、現金管理装置６による指示に従って、釣銭準備金としての紙幣及び／又は硬貨を出金する。
【０１０１】
操作部５９１は、詳細は後述するように、例えば店舗の担当者が、釣銭準備金の補充要求を行うときに操作する。操作部５９１は、詳細な図示は省略するが、現金出納装置５を操作する人を認証するための認証部（例えばカードリーダー等）を含む。操作部５９１はまた、入力操作を行うためのハードウエアキーボード等を含む。ハードウエアキーボードに代えて、表示部５９２を、タッチパネル式の表示部５９２に構成し、操作部５９１と表示部５９２とを一体にしてもよい。
【０１０２】
表示部５９２は、各種の情報を、現金出納装置５を操作する操作者に対して、表示する。
【０１０３】
図９は、現金管理装置６の構成を示すブロック図である。現金管理装置６は、各種情報を表示する表示部６０２と、担当者が各種の操作を行うための、キーボードやポインティングデバイス等からなる操作部６０４と、現金精算装置２、現金出納装置５及びＰＯＳ管理装置７と通信を行う通信部６１０と、制御部６１２と、メモリ６１４とを備えている。
【０１０４】
メモリ６１４は、現金管理装置６を制御する各種プログラム及びデータを格納するＲＯＭ又はＨＤＤ、及び、プログラムのロード領域やプログラム実行時における作業領域となるＲＡＭ等を含む。また、メモリ６１４は、後述するように、各現金精算装置２について、釣銭準備金を補充する際の標準となる補充後在高の情報を格納している。補充後在高は、釣銭準備金の補充を行った後の、現金精算装置２の釣銭準備金の在高に相当する。尚、補充後在高の情報は、各現金精算装置２がメモリ２７０に記憶すると共に、各現金精算装置２の制御部２９０が、補充後在高の情報を、現金管理装置６に出力するようにしてもよい。
【０１０５】
制御部６１２は、メモリ６１４内のプログラムを実行して現金管理装置６の全体を制御するように構成された演算処理装置である。制御部６１２は、通信回線１２及び通信部６１０を通じて取得した、現金管理システム１内の各現金精算装置２の、金種別の在高、及び、現金出納装置５の、金種別の在高を管理する。
【０１０６】
（釣銭準備金の補充処理の説明）
以下、現金管理システム１における、釣銭準備金の補充に係る処理について詳細に説明をする。最初に、釣銭準備金の補充処理の、基本的な手順について説明をする。例えば店舗の営業時間中等において、現金精算装置２に収納している釣銭準備金が少なくなったときには、現金精算装置２に釣銭準備金を補充する必要がある。釣銭準備金の在高に関し、金種毎に、基準量（ニアエンプティ）を予め決めておき、現金精算装置２は、釣銭準備金の在高がニアエンプティに達したときには、担当者に対して、釣銭準備金を補充する必要がある旨を報知するようにしてもよい。
【０１０７】
担当者は、釣銭準備金を補充するために、バックオフィス１１において現金出納装置５を操作する。具体的に担当者は先ず、現金出納装置において、例えばＩＤカードを利用した認証操作を行う。現金出納装置５は、認証操作を受けて、当該操作者が釣銭準備金の補充操作に係る権限を有しているか否かを特定すると共に、現金管理システム１内の複数の現金精算装置２の内、釣銭準備金の補充対象となる現金精算装置２を特定する。担当者が、釣銭準備金の補充対象となる現金精算装置２を指定する操作を行ってもよい。
【０１０８】
現金出納装置５による釣銭準備金の出金は、現金管理装置６によって制御される。認証処理を完了した後に、担当者が、現金出納装置５において、釣銭準備金の補充を要求する操作を行うと、現金出納装置５は、通信回線１２を介して当該要求信号を、現金管理装置６に送信する。
【０１０９】
現金管理装置６においては、前述したように、現金精算装置２に対し釣銭準備金の補充を行う際の標準となる補充後在高の情報が、金種毎に予め格納されている。補充後在高は、釣銭準備金の補充を行った後の、現金精算装置２の釣銭準備金の在高に相当し、現金管理システム１内の、複数の現金精算装置２について個別または、共通に決められている。
【０１１０】
現金管理装置６は、釣銭準備金の補充要求があったときには、補充対象の現金精算装置２の、当該金種の釣銭準備金の在高を取得すると共に、補充対象の現金精算装置２に決められている、当該金種の補充後在高を確認する。現金管理装置６は、釣銭準備金の在高と補充後在高との差に相当する、釣銭準備金の不足枚数を算出する。現金管理装置６は、不足枚数に相当する現金を出金するよう、通信回線１２を介して、現金出納装置５に指示する。現金出納装置５は、出金指示を受けて、釣銭準備金としての現金を出金する。現金は、例えば現金出納装置５に装着されている現金搬送カセット３０に収納される、担当者は、現金搬送カセット３０を現金出納装置５から取り外すと共に、チェックアウトカウンター１０に運んで、現金精算装置２に装着する。前述したように、現金搬送カセット３０内の現金が、現金精算装置２内に、釣銭準備金として収納される。
【０１１１】
現金出納装置５において、釣銭準備金用の現金の在高が十分に多いときには、現金管理装置６は、前述したように、釣銭準備金の補充要求がある度に、補充対象の現金精算装置２の、当該補充要求に係る金種の在高が補充後在高となるように、不足する枚数の現金を出金するよう、現金出納装置５に指示する。しかしながら、現金出納装置５において、釣銭準備金用の現金の在高が少ない状態で、釣銭準備金の補充が要求される度に、補充後在高となるよう不足枚数分の現金を出金してしまうと、釣銭準備金が不足してしまい、次に、釣銭準備金の補充が要求されても、十分な枚数の現金を出金することができなくなったり、現金の出金ができなくなったりする事態になり得る。
【０１１２】
そこで、ここに開示する現金管理システム１では、現金出納装置５における、釣銭準備金用の現金の在高が少なくなったときに、釣銭準備金の出金量を制限するようにしている。具体的に、現金管理装置６は、釣銭準備金の補充要求があったときに、補充対象の現金精算装置２の在高を取得するだけでなく、現金管理システム１内の各現金精算装置２の、当該金種についての在高を取得する。そして、各現金精算装置２において、補充後在高に対して不足している現金の枚数を算出すると共に、それらを合計する。この不足枚数の合計は、現金管理システム１内の複数の現金精算装置２の全体において、不足している釣銭準備金の枚数に相当する。
【０１１３】
現金管理装置６はまた、算出した不足枚数の合計と、現金出納装置５の機内在高とを比較し、機内在高が不足枚数と同じか、又は、機内在高の方が不足枚数よりも多いときには、現金出納装置５の機内在高が十分に多いと判断して、前述のとおり、釣銭準備金の補充要求に対し、補充後在高となるように不足枚数分の現金を出金する。一方、機内在高の方が不足枚数よりも少ないときには、現金出納装置５の機内在高が少ないと判断して、釣銭準備金の出金量を制限する。
【０１１４】
出金量を制限するときの、具体的な出金量の算出は、現金出納装置５の機内在高を、不足枚数の合計に対する、現金精算装置２間の不足枚数の比によって按分することにより行う。こうすることで、出金量を制限しつつも、補充要求に係る現金精算装置２に対しては、不足枚数に見合った量の釣銭準備金を出金することが可能になる。以下、具体例を挙げながら、釣銭準備金の按分について説明をする。以下の具体例では、現金管理システム１内に、第１〜第４の４つのレジスター４０が設けられ、それぞれに対応して、第１〜第４の４つの現金精算装置２が設けられているとする。
【０１１５】
図１０は、第１の按分例を説明するための図である。この第１の按分例は、例えば１０ユーロ紙幣の釣銭準備金についての例である。第１の按分例では、第１から第４の現金精算装置２に、初期値として、１０枚の１０ユーロ紙幣が収納されているとする。現金出納装置５には、１０枚の１０ユーロ紙幣が収納されているとする。この初期状態から、１０ユーロ紙幣の入金及び出金が繰り返される結果、第１〜第４の現金精算装置２の１０ユーロ紙幣の在高が、それぞれ、２枚、６枚、６枚、及び８枚になったとする。現金出納装置５の在高は１０枚のままである。
【０１１６】
第１〜第４の現金精算装置２のニアエンプティはそれぞれ。３枚に設定されているとすれば、第１の現金精算装置２は、ニアエンプティに達しているため、１０ユーロ紙幣の補充が必要になる。従って、担当者は、この第１の現金精算装置２について、現金出納装置５において１０ユーロ紙幣の釣銭準備金の補充を要求したとする。
【０１１７】
現金管理装置６は、補充要求があったときに、第１〜第４の現金精算装置２の、当該金種の在高を取得する。前述の通り、補充要求時の在高（Ａ）は、それぞれ、２枚、６枚、６枚、及び８枚である。また、第１〜第４の現金精算装置２の補充後在高（Ｂ）は、１０枚と決められているとする。第１〜第４の現金精算装置２の不足枚数（Ｃ）＝（Ｂ）−（Ａ）は、それぞれ、８枚、４枚、４枚、２枚であり、その合計Ｔｃは、１８枚である。
【０１１８】
現金管理装置６は、不足枚数の合計Ｔｃ（ここでは１８枚）と、現金出納装置５の当該金種の機内在高Ａｃ（ここでは１０枚）とを比較する。この例では、不足枚数の合計Ｔｃの方が多いため、出金量を制限する。
【０１１９】
現金管理装置６は、前述の通り、現金出納装置５の機内在高（Ａｃ）を、不足枚数の合計（Ｔｃ）に対する、現金精算装置２間の不足枚数（Ｃ）の比で按分する。つまり、各現金精算装置２について、Ａｃ×Ｃ／Ｔｃを計算する。
【０１２０】
第１の按分例においては具体的に、補充要求に係る第１の現金精算装置２へ割り当てられる枚数は、１０×８／１８＝４枚（尚、小数点以下の端数は切り捨て）となる。また、第２〜第４の現金精算装置２の按分量は、図１０に示すように、それぞれ、２枚、２枚、１枚となる。
【０１２１】
従って、現金出納装置５は、４枚の１０ユーロ紙幣を、第１の現金精算装置２のための釣銭準備金として出金する。第１の現金精算装置２は、補充後在高にまでは至らないものの、ある程度の量の釣銭準備金を補充することができる。尚、この時点で、第１の現金精算装置２ではなく、第２〜第４の現金精算装置２が補充要求を行った場合、第２〜第４の現金精算装置２への割り当て量はそれぞれ、２枚、２枚、１枚である。このような按分を行うことによって、各現金精算装置２に対し、その不足枚数に見合った量の釣銭準備金を出金することができる。第１の按分例では、釣銭準備金の在高が最も少なかった第１の現金精算装置２に対して、多くの釣銭準備金を割り当てることが可能になる。
【０１２２】
釣銭準備金を出金する結果、現金出納装置５の機内在高は、６枚となる。出金量の制限によって、現金出納装置５の機内在高をできるだけ残すことができるため、この後も、他の現金精算装置２に、釣銭準備金を補充することが可能になる。
【０１２３】
図１１は、釣銭準備金を補充する際の第２の按分例を説明するための図である。第２の按分例は、硬貨の例である。初期値として、第１〜第４の現金精算装置２に、１５０枚の硬貨が収納されている。現金出納装置５には、１００枚の硬貨が収納されている。ニアエンプティは、２０枚とする。
【０１２４】
第２の按分例では、第２の現金精算装置２の在高（Ａ）が０になったため、釣銭準備金の補充要求を行うとする。このときに、第１、第３、及び第４の現金精算装置２の在高（Ａ）は、それぞれ、２０枚、１２０枚、１６２枚とする。また、現金出納装置５の在高（Ａｃ）は１００枚のままである。
【０１２５】
前記と同様に、釣銭準備金の補充要求があったときには、現金管理装置６は、第１〜第４の現金精算装置２の、当該金種の在高（Ａ）を取得する。また、補充後在高（Ｂ）は、それぞれ１５０枚に設定されているとする。従って、第１〜第４の現金精算装置２の不足枚数（Ｃ）は、それぞれ１３０枚、１５０枚、３０枚、０枚となる。第４の現金精算装置２は、補充要求時の在高（Ａ）が、補充後在高（Ｂ）よりも高いため、不足枚数（Ｃ）は、０とする。不足枚数の合計Ｔｃは、３１０枚である。
【０１２６】
第２の現金精算装置２への釣銭準備金の按分量：Ａｃ×Ｃ／Ｔｃは、１００×１５０／３１０＝４８枚となる。また、第１、第３及び第４の現金精算装置２の按分量は、それぞれ、４１枚、９枚、０枚である。現金出納装置５は、第２の現金精算装置２の釣銭準備金として、４８枚の硬貨を出金する。これにより、現金出納装置５の在高は、５２枚となる。
【０１２７】
図１２は、釣銭準備金を補充する際の第３の按分例を説明するための図である。第３の按分例において、初期状態、及び、補充要求時の在高（Ａ）は、第２の按分例と同じである。第３の按分例は、不足枚数の算出と、按分方法が、第２の按分例とは異なる。具体的には、不足枚数の算出及び按分に際し、当該金種の機内在高がニアエンプティに到達している現金精算装置２のみを対象とし、当該金種の機内在高がニアエンプティに到達していない現金精算装置２は、釣銭準備金の補充が不要な現金精算装置２であるとして、対象から外している。機内在高がニアエンプティであるか否かの判断は、現金精算装置２が判断してもよいし、現金管理装置６が判断してもよい。尚、ニアエンプティは、前述したように２０枚とする。
【０１２８】
第３の按分例において、釣銭準備金の補充要求を行ったときには、第１の現金精算装置２、及び、第２の現金精算装置２がニアエンプティに到達しており、第３の現金精算装置２及び第４の現金精算装置２はそれぞれ、ニアエンプティに到達していない。そこで、不足枚数（Ｃ）の算出に際し、第１及び第２の現金精算装置２については、不足枚数（Ｃ）を算出し、第３及び第４の現金精算装置２については、不足枚数（Ｃ）をそれぞれ０枚とする。その上で、不足枚数の合計Ｔｃを算出し、現金出納装置５の機内在高Ａｃと比較をする。第３の按分例でも、不足枚数の合計Ｔｃ（＝２８０枚≧Ａｃ）の方が多いため、現金出納装置５の機内在高を按分する。
【０１２９】
具体的に、第３の按分例では、第２の現金精算装置２への按分量は１００×１５０／２８０＝５３枚となる。第２の按分例と比較すると、第３の按分例では、ニアエンプティに到達していない、言い換えると釣銭準備金の補充が必要ないと考えられる現金精算装置２を対象から外すことによって、釣銭準備金の補充が必要な第２の現金精算装置２への割り当て量を、４８枚から５３枚に増やすことが可能になる。
【０１３０】
図１３は、釣銭準備金を補充する際の第４の按分例を説明するための図である。第４の按分例は、複数のレジスター４０の繁忙度合いを考慮したものである。つまり、複数のレジスター４０の内、利用頻度が高いレジスター４０は、相対的に釣銭準備金が無くなり易い一方、利用頻度が低いレジスター４０は、相対的に釣銭準備金が無くなり難い。また、現金管理システム１内の複数のレジスターの全てが利用されているとは限らず、一部のレジスター４０は使われていない（つまり、休止レジ）こともあり得る。第４の按分例は、レジスター４０の繁忙度合いに重み付けを行う例である。第４の按分例では、各現金精算装置２について、繁忙フラグのオン／オフを設定している。具体的には、第１、第３、及び第４の現金精算装置２は、繁忙フラグをオンにしている。一方、第２の現金精算装置２は、繁忙フラグをオフにしている。繁忙フラグのオン／オフは適宜のタイミングで行われる。例えば、営業時間中において、レジスター４０を休止にするときに、当該レジスター４０に対応する現金精算装置２の繁忙フラグをオフにしてもよい。
【０１３１】
第４の按分例では、第１の現金精算装置２の在高が５０枚になり、釣銭準備金の補充要求を行ったとしている。第２の現金精算装置２の在り高は０であるが、第２の現金精算装置２の繁忙フラグは、オフである。従って、図４の按分例では、第２の現金精算装置２の補充後在高は０である。これにより、第２の現金精算装置２の不足枚数も０になる。また、第１、第３及び第４の現金精算装置２の不足枚数（Ｃ）は、それぞれ、１００枚、３０枚、及び０枚である。不足枚数の合計Ｔｃは１３０枚となる。繁忙フラグの設定により、補充が不要な現金精算装置２を対象から除外するため、その分、不足枚数の合計を減らすことが可能になる。
【０１３２】
その結果、第１の現金精算装置２への按分量は、１００×１００／１３０＝７６枚となり、補充が必要な第１の現金精算装置２の割り当て量を増やすことが可能になる。
【０１３３】
図１４は、釣銭準備金を補充する際の第５の按分例を説明するための図である。第４の按分例は、各現金精算装置２の繁忙フラグをオン／オフしていたが、第５の按分例は、複数の現金精算装置２に対して、優先順位の設定により、繁忙度合いを細かく設定している。具体的には、第１の現金精算装置２のレジスター４０は、繁忙レジとし、第２の現金精算装置２のレジスター４０は、通常レジとし、第３の現金精算装置２のレジスター４０は、閑散レジとし、第４の現金精算装置２のレジスター４０は、休止レジとしている。第５の按分例では、現金精算装置２は、第１〜第４の順番で釣銭準備金の必要度が高くなるといえる。
【０１３４】
第５の按分例では、優先順位に応じて第１〜第４の現金精算装置２への釣銭準備金の按分の度合いが変更されるように、割合（ｒ）を設定している。具体的に、繁忙レジである第１の現金精算装置２には、ｒ＝１５０％、通常レジである第２の現金精算装置２には、ｒ＝１００％、閑散レジである第３の現金精算装置２には、ｒ＝５０％、休止レジである第４の現金精算装置２には、ｒ＝０％をそれぞれ設定している。この割合によって、各現金精算装置２の、補充後在高を変更させる。現金精算装置２の基準在高（Ｄ）に割合（ｒ）をかけて補充後在高（Ｂ）を設定する。ここで、第１〜第４の現金精算装置２について、基準在高（Ｄ）として１００（枚）が設定されており、第１〜第４の現金精算装置２の補充後在高（Ｂ）は、それぞれ、１５０、１００、５０、０（枚）となる。
【０１３５】
第５の按分例では、第１の現金精算装置２の在高（Ａ）が、１０枚になったため、釣銭準備金の補充要求を行ったとする。このときに、第２〜第４の現金精算装置２の在高（Ａ）は、それぞれ、２０、１００、０とする。現金出納装置５の在高（Ａｃ）は、１００枚である。
【０１３６】
従って、第１〜第４の現金精算装置２の不足枚数（Ｃ）は、１４０、８０、０、０枚となる。ここで、第４の現金精算装置２の在高（Ａ）は０枚であるものの、休止レジであって補充後在高（Ｂ）が０枚となるため、不足枚数（Ｃ）も０枚となる。不足枚数の合計Ｔｃは、２２０枚である。
【０１３７】
その結果、第１の現金精算装置２への按分量は、１００×１４０／２２０＝６３（枚）となる。こうして、繁忙レジである第１の現金精算装置２に対して、多くの釣銭準備金を割り当てることが可能になる。
【０１３８】
前述した優先順位の設定や、優先順位に対応する割合（ｒ）の設定は、適宜のタイミングで行うようにすればよい。また、割合（ｒ）の値自体は、適宜の値に決めることが可能である。例えば売り上げの予測や、売り上げの実績（例えば昨日の売り上げ実績や、前週の同じ曜日の売り上げ実績等）に応じて、優先順位に係る各割合（ｒ）の値を設定してもよい。
【０１３９】
図１５は、釣銭準備金の補充要求があったときに、現金管理装置６が行う制御のフローチャートである。このフローは、前述の通り、例えば店舗の担当者が現金出納装置５において、釣銭準備金の補充を要求する操作を行うことによってスタートする。
【０１４０】
スタート後のステップＳ１５１では、現金管理装置６は、現金管理システム１内の各現金精算装置２の、補充要求に係る金種の在高（Ａ）と、現金出納装置５の当該金種の在高（Ａｃ）とを取得する。続くステップＳ１５２において、現金管理装置６は、各現金精算装置２について、補充後在高（Ｂ）に対する不足枚数（Ｃ）を算出すると共に、不足枚数の合計（Ｔｃ）を計算する。前述したように、ニアエンプティを考慮する場合や、繁忙フラグや優先順位が設定されている場合には、現金管理装置６は、それらを考慮した上で、不足枚数の合計（Ｔｃ）を計算する。
【０１４１】
ステップＳ１５３では、不足枚数の合計（Ｔｃ）が、現金出納装置５の在高（Ａｃ）以下であるか否かを判定する。Ｔｃ≦Ａｃのとき（つまり、ステップＳ１５３の判定がＹＥＳのとき）には、現金出納装置５の在高が十分であるとして、ステップＳ１５４に移行する。ステップＳ１５４において、現金管理装置６は、補充要求に係る現金精算装置２の不足枚数に相当する釣銭準備金の出金を、現金出納装置５に指示する。
【０１４２】
一方、ステップＳ１５３の判定において、Ｔｃ＞Ａｃのとき（つまり、ＮＯのとき）には、現金出納装置５の在高が少ないとして、ステップＳ１５５に移行する。
【０１４３】
ステップＳ１５５では、現金管理装置６は、前述の通り、現金出納装置５の在高（Ａｃ）を算出式に従って按分し、続くステップＳ１５６において、現金管理装置６は、按分した枚数の釣銭準備金を、補充要求に係る現金精算装置２に対して出金するよう、現金出納装置５に指示する。
【０１４４】
図１５のフローチャートにおいて、ステップＳ１５１が、現金管理システム１内の現金精算装置２の釣銭準備金の在高を取得するよう構成された在高取得部を構成し、ステップＳ１５２が、釣銭準備金の補充要求があったときに、当該補充要求に係る金種について、在高取得部が取得した、金種別の釣銭準備金の在高に基づき、現金管理システム１内の現金精算装置２のそれぞれについて、補充後在高に対し不足している金種別枚数の合計を算出する不足枚数算出部を構成し、ステップＳ１５３〜Ｓ１５６が、不足枚数の金種別合計が、現金出納装置５の機内在高以下のときに、補充要求に係る現金精算装置２への釣銭準備金として、補充後在高となるために必要な枚数の金種出金を行うと共に、不足枚数の金種別合計が、現金出納装置５の機内在高を超えるときには、補充要求に係る現金精算装置２への釣銭準備金として、予め設定した算出式に従って算出した枚数の金種出金を行う出金実行部を構成する。
【０１４５】
こうして、前記の構成の現金管理システム１では、釣銭準備金の補充要求があったときには、現金管理システム１内の現金精算装置２について、釣銭準備金の不足枚数の合計を取得し、その不足枚数の合計と現金出納装置５の在高との比較において、現金出納装置５の在高が少ないときに、釣銭準備金としての出金量を制限する。これにより、現金出納装置５の機内在高が少なくなったときに、特定の現金精算装置２に対して全ての現金を出金してしまい、他の現金精算装置２に対して、釣銭準備金を出金できなくなる事態を未然に回避することが可能になる。
【０１４６】
また、現金出納装置５の機内在高がニアエンプティであることに基づいて、釣銭準備金の出金量を制限するのではなく、現金管理システム１内の現金精算装置２の在高に基づいて、釣銭準備金の出金量を制限するため、補充が必要な現金精算装置２に対して、適切に釣銭準備金を補充することが可能になる。
【０１４７】
また、現金出納装置５からの出金を制限するときには、現金管理システム１内の現金精算装置２全体における、釣銭準備金の不足枚数の合計に対する、現金精算装置２間の不足枚数の比によって、現金出納装置５の機内在高を按分することで、釣銭準備金の補充が必要な現金精算装置２に対して、適切な量の釣銭準備金を割り当てることが可能になる。
【０１４８】
さらに、現金管理システム１内の複数の現金精算装置２について、対応するレジスター４０に応じた優先順位を予め設定し、その優先順位に従って、現金出納装置５の機内在高を按分するようにすれば、優先順位の高い現金精算装置２に、相対的に多くの釣銭準備金を割り当てて、補充することが可能になる。
【０１４９】
加えて、現金管理システム１内における、釣銭準備金の不足枚数の合計を算出する際、及び、現金出納装置５の機内在高を按分する際に、機内在高がニアエンプティに到達した現金精算装置２のみを対象にすれば、補充要求を行った現金精算装置２への釣銭準備金の補充を、より一層、適切に行うことが可能になる。
【０１５０】
尚、前記の構成では、釣銭準備金の補充が要求されたときに、現金管理装置６が、現金管理システム１内の現金精算装置２の在高を取得するようにしているが、現金管理装置６は、現金管理システム１内の現金精算装置２の在高を、定期的に取得するように構成してもよい。また、現金管理装置６は、現金管理システム１内の現金精算装置２の在高を、定期的に取得しつつ、釣銭準備金の補充が要求されたときには、現金管理装置６が、現金管理システム１内の現金精算装置２の在高を、改めて取得するようにしてもよい。
【０１５１】
また、前記の構成では、釣銭準備金の補充が要求されると、その時点での釣銭準備金の不足枚数の合計を算出し、現金出納装置の機内在高を按分しているが、補充要求の都度、機内在高の按分を行わなくてもよい。例えば釣銭準備金の補充が要求されたときに、前回、釣銭準備金の補充が要求されてから、予め設定した所定時間が経過していないときには、改めて按分を行わずに、その前回の補充要求時に按分をした枚数の現金を出金するようにしてもよい。
【０１５２】
具体的に、前述した第１の按分例に則して説明をすると、前述したように、第１の現金精算装置２に対して、４枚の１０ユーロ紙幣を出金した後、直ぐに、第２の現金精算装置２について、釣銭準備金の補充要求が行われたとする。その場合には、現金出納装置５の在高（ここでは６枚）を按分するのではなく、前回の補充要求時に按分をした枚数（ここでは２枚）の１０ユーロ紙幣を、第２の現金精算装置２に対して出金する。釣銭準備金の補充が要求される都度、現金出納装置の機内在高を按分していると、機内在高が少なくなるため、按分量も少なくなる。釣銭準備金の補充要求が、ほとんど時を同じくして連続して行われるときに、後の補充要求は、先の補充要求に比べて、按分量が大幅に減ってしまう恐れがある。
【０１５３】
そこで、釣銭準備金の補充が要求されたときに、前回、釣銭準備金の補充が要求されたから、予め設定した所定時間が経過していないときには、改めて按分を行わずに、その前回の補充要求時に按分をした枚数の現金を出金するようにすれば、釣銭準備金の補充要求が続けて行われる場合に、それぞれの要求に対し、適切に釣銭準備金を出金することが可能になる。
【０１５４】
尚、前記第３の按分例において説明をしたように、釣銭準備金の補充をした結果、現金精算装置２の在高のニアエンプティが解消されれば、次に釣銭準備金の補充要求があったときに、当該現金精算装置２は、不足金額の算出、及び、按分の対象から除外することが可能になるため、後の釣銭準備金の補充要求に対して、適切に釣銭準備金を出金することが可能になる。
【０１５５】
また、釣銭準備金の補充が要求されたときに、前回、釣銭準備金の補充が要求されてから、予め設定した所定時間が経過していないときには、前回の補充要求によって釣銭準備金が補充された現金精算装置２を、不足金額の算出、及び、按分の対象から除外するようにしてもよい。こうすることによっても、後の釣銭準備金の補充要求に対して、適切に釣銭準備金を出金することが可能になる。
【０１５６】
尚、上記の説明では１金種を対象に説明を行ったが、取り扱い金種すべてにおいて同様の処理を行うことは言うまでもない。つまり、現金管理装置６は、現金管理システム１内の現金精算装置２のそれぞれについて、金種別の釣銭準備金の在高に基づき、補充後在高に対して不足している金種別枚数の合計を算出し、その不足枚数の金種別合計と、現金出納装置５の金種別の機内在高とを比較することにより、必要に応じて、不足する金種の出金を制限する。
【０１５７】
（オフライン中の釣銭準備金の補充制御）
前述したように、現金管理システム１においては、担当者が、現金出納装置５において釣銭準備金の補充を要求したときに、現金出納装置５は、その旨の信号を現金管理装置６に出力し、現金管理装置６が、現金出納装置５からの出金を制御するように構成されている。現金管理装置６は、各現金精算装置２の補充後在高の情報を記憶及び管理している。
【０１５８】
ここで、担当者が、現金出納装置５において釣銭準備金の補充を要求したときに、何らかの原因により、現金出納装置５と現金管理装置６との間がオフラインとなっていると、現金出納装置５は釣銭準備金の出金ができなくなってしまう。
【０１５９】
利便性を向上させるために、現金出納装置５と現金管理装置６との間がオフラインであっても、現金出納装置５が単独で、釣銭準備金の出金を行うように構成することが考えられる。しかしながら、現金出納装置５は、各現金精算装置２の補充後在高の情報を記憶及び管理していないため、店舗の担当者の補充要求に従って、制限無く、釣銭準備金を出金してしまうことになり、セキュリティ上、問題がある。
【０１６０】
そこで、この現金管理システム１は、利便性の向上とセキュリティの向上とを両立させるべく、現金出納装置５において釣銭準備金の補充を要求したときに、現金出納装置５と現金管理装置６との間がオフラインとなっていると、現金出納装置５が、釣銭準備金の出金を行う一方で、その出金を、予め設定した制限事項に従って制限するように構成されている。
【０１６１】
具体的に、オフライン中の制限事項は、次の通りである。すなわち、釣銭準備金の補充を要求する担当者に対し、オフライン中の出金回数、及び、累計出金金額を、通貨毎に、予め設定した回数及び金額に制限する。
【０１６２】
ここで、担当者としては、「テナントの担当者」「キャッシャー」「警送業者」「マネージャー」及び「メンテナンス担当者」が含まれ、それぞれについて、オフライン時の出金回数、及び、累計出金金額の上限を制限する。図１６は、オフライン中の出金回数、及び、累計出金金額の上限を設定するために、例えば現金出納装置５において表示される設定画面ＳＣ１を例示している。
【０１６３】
この設定画面ＳＣ１は、前述したように、担当者（Ｒｏｌｅ）を選択するための、「Ｔｅｎａｎｔ」「Ｃａｓｈｉｅｒ」「ＣＩＴ」「Ｍａｎａｇｅｒ」及び「Ｓｅｒｖｉｃｅ」ボタンを有している。図例では、「Ｍａｎａｇｅｒ」が選択されている。
【０１６４】
また、この設定画面ＳＣ１は、オフライン中に、現金出納装置５が、制限された釣銭準備金の出金（つまり、Ｏｆｆｌｉｎｅ ｏｐｅｒａｔｉｏｎ）を許可するか否かを設定するボタンを有している。図例では、「ＯＮ」が選択されており、オフラインオペレーションを許可する設定となっている。
【０１６５】
さらに、この設定画面ＳＣ１は、オフライン中の釣銭準備金の出金回数の上限を設定する回数欄（Ｔｉｍｅｓ）と、通貨毎に、オフライン中の釣銭準備金の累計出金金額の上限を設定する欄（ＥＵＲ、ＵＳＤ、ＣＡＤ、ＪＰＹ、ＣＮＹ、ＣＨＦ）とを有している。これらの金額欄は、オフラインオペレーションを許可する設定にしたときに、入力可能となる、
現金出納装置５の操作部５９１を操作することにより、各欄において必要な数字を入力することができる。また、オフライン中の釣銭準備金の出金回数の上限を設定する欄、及び、通貨毎に累計出金金額の上限を設定する欄の横には、上限を設定しない場合のチェックボックス（Ｎｏ Ｌｉｍｉｔ）が設けられている。
【０１６６】
設定画面ＳＣ１において必要な入力を行った上で、保存（Ｓａｖｅ）ボタンを選択操作することによって、現金出納装置５がオフラインであるときの動作設定が完了する。この設定内容は、現金出納装置５のメモリ５７０に記憶される。
【０１６７】
図１７は、オフライン時の現金出納装置５の制御に関するフローチャートである。このフローチャートは、担当者が現金出納装置５において認証操作を行うと共に、現金出納装置５に表示されているスタートメニューから、釣銭準備金の補充を選択することによってスタートする。
【０１６８】
スタート後のステップＳ１７１では、オフラインであるか否かを判定する。オフラインでないときにはステップＳ１７８に移行する。現金出納装置５が、現金管理装置６と通信回線１２を介してつながっているため、通常の、釣銭準備金の補充制御を行う。つまり、釣銭準備金の補充要求を行うための画面に遷移する。担当者は、現金出納装置５の表示部５９２に表示される画面に従って操作を行い、釣銭準備金を出金させる。
【０１６９】
一方、ステップＳ１７１において、オフラインであるときにはステップＳ１７２に移行する。ステップＳ１７２では、当該担当者について、オフラインオペレーションが許可あされているか否かを判定する。許可されていないときには、ステップＳ１７７に移行する。ステップＳ１７７では、釣銭準備金の補充要求を行うための画面への遷移を禁止する。この際に、例えば「現金管理装置に接続されていないため、出金することはできません（You can not dispense, because SERVER is not connected now.）」といったメッセージを、表示部５９２に表示してもよい。
【０１７０】
ステップＳ１７２において、当該担当者についてオフラインオペレーションが許可されているときには、ステップＳ１７３に移行する。ステップＳ１７３では、当該担当者に対して、出金回数の上限が設定されているか否かを判定する。上限が設定されているときには、ステップＳ１７４に移行し、上限が設定されていないときには、ステップＳ１７４に移行せずに、ステップＳ１７５に移行する。
【０１７１】
ステップＳ１７４では、当該担当者の出金回数は、設定されている上限に達しているか否かを判定する。ここで、「担当者の出金回数」は、担当者個人の出金回数である。つまり、例えばキャッシャーが複数人存在する場合、同一のキャッシャーがオフライン中に出金をした回数であり、複数人のキャッシャーがオフライン中に出金した回数の合計ではない。出金回数が上限に達していないときには、ステップＳ１７５に移行し、出金回数が上限に達しているときには、ステップＳ１７７に移行する。
【０１７２】
前述したように、ステップＳ１７７では、釣銭準備金の補充要求を行うための画面への遷移を禁止する。この際に、例えば「出金制限を超えているため、出金することはできません（You can not dispense, because the dispense limit is exceeded.）」といったメッセージを、表示部５９２に表示してもよい。
【０１７３】
ステップＳ１７５では、当該担当者に対して、累計出金金額の上限が設定されているか否かを判定する。上限が設定されているときには、ステップＳ１７６に移行し、上限が設定されていないときには、ステップＳ１７８に移行する。出金回数によって制限されずかつ、累計出金金額も制限されないため、ステップＳ１７８において通常の釣銭準備金の補充制御を行う。つまり、釣銭準備金の補充要求を行うための画面に遷移する。
【０１７４】
ステップＳ１７６では、当該担当者の累計出金金額は、設定されている上限に達しているか否かを判定する。ここで、「担当者の累計出金金額」も、担当者個人の累計出金金額である。つまり、例えばキャッシャーが複数人存在する場合、同一のキャッシャーがオフライン中に出金をした累計出金金額であり、各キャッシャーがオフライン中に出金した累計金額を、複数のキャッシャーで合計した金額ではない。累計出金金額が上限に達していないときには、ステップＳ１７８に移行し、累計出金金額が上限に達しているときには、ステップＳ１７７に移行する。前記と同様に、ステップＳ１７８においては、通常の釣銭準備金の補充制御を行う。つまり、釣銭準備金の補充要求を行うための画面に遷移する。
【０１７５】
ステップＳ１７７では、釣銭準備金の補充要求を行うための画面への遷移を禁止する。この際に、例えば「出金制限を超えているため、出金することはできません（You can not dispense, because the dispense limit is exceeded.）」といったメッセージを、表示部５９２に表示してもよい。
【０１７６】
このように、前記の構成の現金管理システム１は、オフライン中においても、現金出納装置５から釣銭準備金を出金させることができるため、利便性が向上する。その一方で、オフライン時においては、必要に応じて、釣銭準備金の出金回数、及び／又は、累計出金金額を制限することが可能であるため、現金管理装置６において管理をすることができない状況においても、セキュリティを向上させることができる。尚、出金回数や、累計出金金額のカウントは、オフライン状態からオンラインに変われば、リセットすればよい。
【０１７７】
尚、ここに開示する技術は、前記の構成の現金管理システム１に適用することに限定されず、前記の構成以外の現金管理システム１に適用することも可能である。
【０１７８】
例えば、前記の構成では、現金出納装置５と、現金管理装置６とを別体に構成しているが、現金出納装置と現金管理装置とを一体に構成してもよい。
【符号の説明】
【０１７９】
１  現金管理システム
１２  通信回線（伝送線）
２  現金精算装置
５  現金出納装置
６  現金管理装置
４０  レジスター
【図１】
0006590739.tif 000002
【図２】
0006590739.tif 000003
【図３】
0006590739.tif 000004
【図４】
0006590739.tif 000005
【図５】
0006590739.tif 000006
【図６】
0006590739.tif 000007
【図７Ａ】
0006590739.tif 000008
【図７Ｂ】
0006590739.tif 000009
【図８】
0006590739.tif 000010
【図９】
0006590739.tif 000011
【図１０】
0006590739.tif 000012
【図１１】
0006590739.tif 000013
【図１２】
0006590739.tif 000014
【図１３】
0006590739.tif 000015
【図１４】
0006590739.tif 000016
【図１５】
0006590739.tif 000017
【図１６】
0006590739.tif 000018
【図１７】
0006590739.tif 000019